(57)【特許請求の範囲】
【請求項１】
下部が段ボール箱の手掛穴に対応する上辺のない略トラック形又は略長方形で、上部が該手掛穴よりも上方に伸びる下辺のない略長方形である異形孔を持つ剥離紙、該異形孔を持つ粘着剤層、該異形孔を持つ合成樹脂製フィルム又は紙及び該異形孔を持たない合成樹脂製ネット又は不織布の順に積層一体化されてなる野菜用又は果実用段ボール箱の手掛穴に用いる貼着シート。
【請求項２】
下部が段ボール箱の手掛穴に対応する上辺のない略トラック形又は略長方形で、上部が該手掛穴よりも上方に伸びる下辺のない略長方形である異形孔を持つ再湿性接着剤層、該異形孔を持つ紙及び該異形孔を持たない合成樹脂製ネット又は不織布の順に積層一体化されてなる野菜用又は果実用段ボール箱の手掛穴に用いる貼着シート。
【請求項３】
異形孔が下記の形状である請求項１又は２記載の野菜用又は果実用段ボール箱の手掛穴に用いる貼着シート。
記
0005524306.tif 000002
【請求項４】
異形孔が下記の形状である請求項１又は２記載の野菜用又は果実用段ボール箱の手掛穴に用いる貼着シート。
記
0005524306.tif 000003
【請求項５】
不織布が割布である請求項１又は２記載の野菜用又は果実用段ボール箱の手掛穴に用いる貼着シート。
【請求項６】
不織布が割布と長繊維不織布との積層物である請求項１又は２記載の野菜用又は果実用段ボール箱の手掛穴に用いる貼着シート。
【請求項７】
請求項１又は２記載の貼着シートが一列に配列されてなり、巻物の形態となっている貼着シートロール。
【請求項８】
剥離紙を取り除いた請求項１記載の貼着シートの粘着剤層が段ボール箱の内壁に当接するように、かつ、異形孔の下部の略トラック形又は略長方形の箇所が段ボール箱の手掛穴に一致するようにして貼着してなる野菜用又は果実用段ボール箱。
【請求項９】
請求項２記載の貼着シートの再湿性接着剤層に水分を付与して粘着性を与えると共に、該再湿性接着剤層が段ボール箱の内壁に当接するように、かつ、異形孔の下部の略トラック形又は略長方形の箇所が段ボール箱の手掛穴に一致するようにして貼着してなる野菜用又は果実用段ボール箱。
【請求項１０】
剥離紙、粘着剤層及び合成樹脂製フィルム又は紙の順に積層貼合されてなる三層シートの、該合成樹脂製フィルム又は該紙表面に感熱性接着剤層を設けた後、請求項１記載の異形孔を打ち抜き、続いて該感熱性接着剤層表面に合成樹脂製ネット又は不織布を積層した後、加熱圧着して該感熱性接着剤層を軟化又は溶融させることによって、該合成樹脂製ネット又は不織布を積層一体化することを特徴とする請求項１記載の野菜用又は果実用段ボール箱の手掛穴に用いる貼着シートの製造方法。
【請求項１１】
剥離紙、粘着剤層及び合成樹脂製フィルム又は紙の順に積層貼合されてなる三層シートに、請求項１記載の異形孔を打ち抜いた後、該合成樹脂製フィルム又は該紙表面にドライラミネート法で接着剤層を設けると共に該接着剤層によって合成樹脂製ネット又は不織布を積層一体化することを特徴とする請求項１記載の野菜用又は果実用段ボール箱の手掛穴に用いる貼着シートの製造方法。
【請求項１２】
再湿性接着剤層及び紙の順で積層貼合されてなる二層シートの、該紙表面に感熱性接着剤層を設けた後、請求項２記載の異形孔を打ち抜き、続いて該感熱性接着剤層表面に合成樹脂製ネット又は不織布を積層した後、加熱圧着して該感熱性接着剤層を軟化又は溶融させることによって、該合成樹脂製ネット又は不織布を積層一体化することを特徴とする請求項２記載の野菜用又は果実用段ボール箱の手掛穴に用いる貼着シートの製造方法。
【請求項１３】
再湿性接着剤層及び紙の順で積層貼合されてなる二層シートに、請求項２記載の異形孔を打ち抜いた後、該紙表面にドライラミネート法で接着剤層を設けると共に該接着剤層によって合成樹脂製ネット又は不織布を積層一体化することを特徴とする請求項２記載の野菜用又は果実用段ボール箱の手掛穴に用いる貼着シートの製造方法。
【発明の詳細な説明】
【技術分野】
【０００１】
本発明は、野菜用又は果実用段ボール箱の手掛穴からコナジラミ等の害虫が侵入したり、カラス等の鳥が嘴を入れたりして、収納してある野菜の苗、果実の苗、野菜の実又は果実の実（以下、これらをまとめて「野菜又は果実」という。）に被害を与えるのを防止するため、手掛穴に貼着する貼着シートに関するものである。
【背景技術】
【０００２】
従来より、野菜又は果実は、段ボール箱に収納して運搬されている。この段ボール箱は人手で持てるように、また良好な通気性を維持するために、側面に手掛穴が設けられているのが一般的である。
【０００３】
野菜又は果実を収納した段ボール箱は、運搬前後において、倉庫等の屋内に保管されている。しかしながら、倉庫等が満杯であったり、又はすぐに他所に運搬するなどの事情で、段ボール箱を野積みしておくことがあった。段ボール箱を野積みしておくと、コナジラミ、アブラムシ、キスジノミハムシ、ハモグリバエ、アザミウマ等の害虫が手掛穴から侵入し、野菜又は果実に付き、被害を与えるということがあった。また、カラス等の鳥がきて、手掛穴に嘴を入れて、野菜又は果実をつつき、被害を与えるということもあった。かかる被害は年間、数億円にも達すると言われているが、従来、何の対策も講じられていなかった。
【０００４】
本件発明者は、かかる対策を講じることを課題として、段ボール箱の内壁面から手掛穴に合成樹脂製ネットを張設しうる貼着シートを提案した（特許文献１）。かかる貼着シートの具体的な一態様としては、段ボール箱の手掛穴に対応する孔５′を持つ剥離紙１、該孔５′を持つ粘着剤層２、該孔５′を持つ合成樹脂製フィルム又は紙３、該孔５′を持つ接着剤層４及び該孔５′を持たない合成樹脂製ネット６の順に積層一体化されてなる態様である（図１及び図２）。かかる貼着シートを段ボール箱の手掛穴に適用すると、図３に示す態様となり、手掛穴から害虫が侵入したり又はカラス等の鳥が嘴を入れるのを防止でき、収納してある野菜又は果実に被害を与えるのを防止することができる。
【０００５】
【特許文献１】特願２０１１−１６３６０６号明細書
【発明の概要】
【発明が解決しようとする課題】
【０００６】
本発明は、特許文献１記載の発明を利用し、段ボール箱の手掛穴に手指を差し入れやすくすることを課題とするものである。
【課題を解決するための手段】
【０００７】
本発明は、特許文献１に記載されている孔５′を、特定の形状の異形孔５とすることにより、上記課題を解決したものである。
【０００８】
具体的な第一態様は、下部が段ボール箱の手掛穴に対応する上辺のない略トラック形又は略長方形で、上部が該手掛穴よりも上方に伸びる下辺のない略長方形である異形孔を持つ剥離紙、該異形孔を持つ粘着剤層、該異形孔を持つ合成樹脂製フィルム又は紙及び該異形孔を持たない合成樹脂製ネット又は不織布の順に積層一体化されてなる野菜用又は果実用段ボール箱の手掛穴に用いる貼着シートに関するものである。
【０００９】
図４及び図５は、第一態様の一例に係る野菜用又は果実用段ボール箱の手掛穴に用いる貼着シートを合成樹脂製ネット又は不織布側から見た表面図である。図６及び図７は、この貼着シートを剥離紙側から見た裏面図である。図８はこれらの貼着シートの側面図であり、図９はこれらの貼着シートの中央横断面図である。本発明は、剥離紙側から、剥離紙１、粘着剤層２、合成樹脂製フィルム又は紙３及び合成樹脂製ネット又は不織布６の順に積層一体化されてなる貼着シートに関するものである。そして、剥離紙１、粘着剤層２、及び合成樹脂製フィルム又は紙３には、異形孔５が設けられている。接着剤層４には、異形孔５が設けられていてもよいし（図９）、異形孔５が設けられておらず、合成樹脂製ネット又は不織布６の全面に亙って存在していてもよい（図示せず）。異形孔５というのは、下部が段ボール箱の手掛穴７に対応し上辺のない略トラック形で、上部が手掛穴７よりも上方に伸びる下辺のない略長方形となっている。具体的には、図１０に示した形状の孔である。また、下部が段ボール箱の手掛穴７に対応し上辺のない略長方形で、上部が手掛穴７よりも上方に伸びる下辺のない略長方形となっていてもよい。具体的には、図１１に示した形状の孔である。これらの異形孔５の下部が略トラック形又は略長方形になっているのは、段ボール箱の手掛穴の形状が略トラック形であるか又は略長方形だからである。合成樹脂製ネット又は不織布６は、最終的に手掛穴に張設されるため、異形孔５は設けられていない。なお、本発明に係る貼着シートは、剥離紙１を取り除いて段ボール箱に貼着されるものであるため、剥離紙１は取り除きやすいように、粘着剤層２、合成樹脂製フィルム又は紙３、接着剤層４及び合成樹脂製ネット又は不織布６の周辺外方にはみ出した状態で積層されている（図４及び図５）。
【００１０】
剥離紙１としては、粘着剤層２側に離型処理が施されている従来公知のものが用いられる。粘着剤層２としても、アクリル系粘着剤等の従来公知のものが用いられる。合成樹脂製フィルム３としては、ポリエステルフィルムやポリオレフィンフィルムを用いることができ、一般的には透明なものが用いられる。また、紙３としても従来公知のものが用いられる。接着剤層４としては、ポリエチレン系接着剤等のポリオレフィン系接着剤、酢酸ビニル重合体系接着剤、エチレン−酢酸ビニル重合体系接着剤、ポリエステル系接着剤等の溶剤型接着剤や感熱性接着剤が用いられる。
【００１１】
合成樹脂製ネット６としては、害虫が侵入しない程度の目合（目開き）を持ったものであれば、従来公知のものが用いられる。特に、コナジラミ等の比較的小さい害虫については、目合が０．４ｍｍ以下のものを用いるのが好ましい。本発明においては、目づれしにくいものが好ましい。目づれのしやすい合成樹脂製ネットであると、取り扱い時にも目合の大きさが変化して、そこから害虫が侵入する恐れがあるからである。目づれのしにくい合成樹脂製ネット６としては、縦糸と横糸とで構成されており、縦糸と横糸の交点で熱融着されている合成樹脂製ネット６を用いるのが好ましい。具体的には、ダイオ化成株式会社製の目合約０．４ｍｍのダイオサンシャインソフト（登録商標）Ｎ−４７００、目合約０．６ｍｍのダイオサンシャインソフト（登録商標）Ｎ−３３３０等を用いるのが好ましい。なお、合成樹脂の素材としては、ポリプロピレン、ポリエステル又はナイロン等を用いることができる。
【００１２】
不織布６としては、コナジラミ等の害虫が侵入するのを防止しうる程度の空隙を持ったものであれば、従来公知のものが用いられる。不織布６の代表例としては、割布や長繊維不織布を挙げることができる。割布とは、断面が偏平な割繊維を縦及び横に積層して、割繊維相互間を結合させたものでる。割布は、全体にメッシュ状となっており、鳥が嘴を差し入れるのを有効に防止しうるものである。また、長繊維不織布とは、長繊維（連続繊維）を集積すると共に、長繊維相互間を結合させたものである。長繊維相互間の目は非常に細かいため、コナジラミ等の害虫の侵入を有効に防止しうるものである。本発明では、割布と長繊維不織布との積層物も好適に用いられる。両者を積層することにより、形態安定性が向上すると共に、鳥及び害虫による被害を有効に防止しうるからである。不織布６の具体例としては、ＪＸ日鉱日石ＡＮＣＩ株式会社製のワリフ（登録商標）、ミライフ（登録商標）、前二者の積層物及び前二者と他素材との積層品を挙げることができる。なお、合成樹脂製ネットと不織布の積層品を用いてもよいことは、言うまでもない。
【００１３】
第一態様に係る貼着シートは種々の方法で製造されるが、一例を挙げれば、以下のとおりである。すなわち、剥離紙、粘着剤層及び合成樹脂製フィルム又は紙の順に積層貼合されてなる三層シートの、該合成樹脂製フィルム又は該紙表面に感熱性接着剤層を設けた後、異形孔を打ち抜き、続いて該感熱性接着剤層表面に合成樹脂製ネット又は不織布を積層した後、加熱圧着して該感熱性接着剤層を軟化又は溶融させることによって、該合成樹脂製ネット又は不織布を積層一体化するというものである。この製造方法を具体的に説明すれば、以下のとおりである。
【００１４】
まず、剥離紙１、粘着剤層２及び合成樹脂製フィルム又は紙３の順に積層貼合されてなる三層シートを準備する。この三層シートは、一般的に任意の幅を持つ長尺状のものであり、巻物として準備するのが好ましい。そして、三層シートの合成樹脂製フィルム又は紙３の表面に、感熱性接着剤（ホットメルト接着剤）層４を設ける。感熱性接着剤層４の設け方としては、従来公知の任意の方法を採用しうる。たとえば、加熱溶融させた感熱性接着剤をＴダイに供給しエクストルジョンラミネート法で、合成樹脂製フィルム又は紙３の表面に設ける方法が一般的である。また、加熱溶融させた感熱性接着剤を、ナイフコータやロールコータ等で塗布して設ける方法も採用される。そして、固化した感熱性接着剤層４が合成樹脂製フィルム又は紙３の表面に形成された後、異形孔５を打ち抜く。準備された三層シートが長尺状のものであると、多数の異形孔５が長手方向に並ぶことになる。また、準備された三層シートの幅が狭い場合は、一列に異形孔が長手方向に並び、その幅が広い場合は、複数列に異形孔が長手方向に並ぶことになる。
【００１５】
異形孔５を打ち抜いた後、感熱性接着剤層４に当接するようにして、合成樹脂製ネット又は不織布６を積層する。そして、感熱性接着剤層４が軟化又は溶融する温度に加熱し加圧する。具体的には、一対の加熱ロールを用いて加熱加圧すればよい。この結果、合成樹脂製ネット又は不織布６は、異形孔５を打ち抜かれた三層シートと圧着され、剥離紙１、粘着剤層２、合成樹脂製フィルム又は紙３、感熱性接着剤層４及び合成樹脂製ネット又は不織布６の順で積層一体化されたシートを得ることができる。なお、この製造方法の場合は、感熱性接着剤層４にも異形孔５が穿たれている。このシートは、異形孔５が長手方向に一列又は複数列となって並んだものである。最終的には、異形孔５が一個の貼着シートとして供給されるか、又は異形孔５が長手方向に一列に並んだ状態、すなわち、貼着シートが一列に配列した状態となった巻物の形態（貼着シートロール）で供給される。なお、図１２は、ロール８から一部巻き戻した状態であり、本発明の一例に係る貼着シートを合成樹脂製ネット又は不織布６側から見たものである。そして、前者の場合には、剥離紙１を取り除いて手張りによって段ボール箱の手掛穴に貼着され、後者の場合にはラベリング装置によって自動的に剥離紙１が取り除かれて、組み立て前の段ボール箱の手掛穴に一枚づつ貼着される。なお、貼着シートの形態であっても、貼着シートロールの形態であっても、剥離紙１は、取り除きやすいように、粘着剤層２、合成樹脂製フィルム又は紙３、感熱性接着剤層４及び合成樹脂製ネット又は不織布６の周辺外方にはみ出した状態で積層されている。
【００１６】
また、第一態様に係る貼着シートは、以下のようなドライラミネート法で製造することもできる。すなわち、剥離紙、粘着剤層及び合成樹脂製フィルム又は紙の順に積層貼合されてなる三層シートに、異形孔を打ち抜いた後、該合成樹脂製フィルム又は該紙表面にドライラミネート法で接着剤層を設けると共に該接着剤層によって合成樹脂製ネット又は不織布を積層一体化するというものである。ドライラミネート法による場合は、三層シートに異形孔５を打ち抜いた後に、接着剤層４を設けて合成樹脂製ネット又は不織布６を積層一体化するものである。ドライラミネート法で使用する接着剤としては、溶剤で希釈した溶剤型接着剤が用いられ、これを合成樹脂製フィルム又は紙表面に塗布し、乾燥後に合成樹脂製ネットを積層一体化することになる。
【００１７】
本発明の具体的な第二態様は、異形孔を持つ再湿性接着剤層、該異形孔を持つ紙及び該異形孔を持たない合成樹脂製ネット又は不織布の順に積層一体化されてなる野菜用又は果実用段ボール箱の手掛穴に用いる貼着シートに関するものである。
【００１８】
第二態様は、剥離紙１を持たない点、粘着剤層２として再湿性接着剤層を用いている点及び合成樹脂製フィルムを使用せずに紙を使用する点で第一態様と異なるが、その他は、第一態様と同一である。再湿性接着剤は、水分を付与することにより粘着性が与えられ、水分が蒸発又は紙に吸収されることにより固化して接着力を発現するものである。したがって、水分を付与しない通常の状態では粘着性を持たないので剥離紙１は不要である。また、再湿性接着剤が塗布される基材は水分を吸収しやすい紙を用いるので、合成樹脂製フィルムは通常用いられない。
【００１９】
また、第二態様に係る貼着シートの製造方法も、剥離紙１が用いられていない点、粘着剤層２として再湿性接着剤層が用いられている点及び合成樹脂製フィルムは使用せずに紙を使用する点を除いて、第一態様に係る貼着シートの製造方法と同一である。したがって、第二態様に係る貼着シートの製造方法は、以下のとおりである。すなわち、再湿性接着剤層及び紙の順で積層貼合されてなる二層シートの、該紙表面に感熱性接着剤層を設けた後、異形孔を打ち抜き、続いて該感熱性接着剤層表面に合成樹脂製ネット又は不織布を積層した後、加熱圧着して該感熱性接着剤層を軟化又は溶融させることによって、該合成樹脂製ネット又は不織布を積層一体化するというものである。また、再湿性接着剤層及び紙の順で積層貼合されてなる二層シートに、異形孔を打ち抜いた後、該紙表面にドライラミネート法で接着剤層を設けると共に該接着剤層によって合成樹脂製ネット又は不織布を積層一体化するというものである。
【００２０】
以上説明したように、本発明に係る貼着シートは、最終的に一枚毎に裁断された貼着シートとして供給されるか、一枚毎に裁断されずに貼着シートが一列に配列されてなる巻物の形態となって供給される。一枚毎に裁断された貼着シートとして供給された場合は、組み立て前又は後の段ボール箱の内壁に、貼着シートから剥離紙１を取り除いて粘着剤層２が当接するようにして、かつ、手掛穴７に異形孔５の下部が一致するようにして、貼着シートを貼り付ける。また、粘着剤層２に代えて再湿性接着剤層が設けられている場合は、再湿性接着剤に水分を付与して粘着性を与え、この状態で、再湿性接着剤が段ボール箱の内壁に当接するようにして、かつ、手掛穴７に異形孔５の下部が一致するようにして、貼着シートを貼り付ける。また、貼着シートが一列に配列されてなる巻物の形態として貼着シートロールで供給された場合は、このロールをラベリング装置に適用し、組み立て前の段ボール箱の手掛穴７に自動的に貼着する。この場合も、粘着剤層２又は再湿性接着剤層が段ボール箱の内壁に当接するように、かつ、手掛穴７に異形孔５の下部が一致するようにして貼着される。以上のようにして、図１３に示したような段ボール箱が出来上がるのである。
【００２１】
そして、この段ボール箱に、野菜又は果実を収納する。この段ボール箱の手掛穴には、貼着シートによって合成樹脂製ネット又は不織布が張設されているので、害虫が侵入して野菜又は果実に付くのを防止でき、また鳥が嘴によって野菜や果実を食することを防止できる。そして、段ボール箱を人手で運搬する場合には、以下のような効果を奏するのである。
【発明の効果】
【００２２】
本発明に係る貼着シートを用いて得られた段ボール箱の手掛穴近傍の構造は、図１４のようになっている。図１４は、貼着シートを貼り付けた段ボール箱の手掛穴近傍の縦断面図であり、手掛穴７の上部において、段ボール箱９の内壁と、手掛穴７に貼り付けられた貼着シートの合成樹脂製ネット又は不織布６の間に隙間１０が生じている。したがって、段ボール箱を人手で運搬する場合、手掛穴７の外部から手指を隙間１０に差し入れることができ、段ボール箱を人手で運搬しやすくなるという効果を奏する。たとえば、貼着シートに異形孔５を設けずに、手掛穴に略一致する孔を設けた場合、これを段ボール箱の手掛穴７に貼着すると、手掛穴近傍の構造は図１５の如くになる。この場合、前記隙間１０が生じておらず、手指を差し入れることができず、段ボール箱９の外壁と内壁の厚みの箇所に手を当てて運搬することになり、運搬しにくいのである。
【図面の簡単な説明】
【００２３】
【図１】特許文献１に記載された貼着シートの裏面図である。
【図２】図１に示した貼着シートの中央横断面図である。
【図３】図１に示した貼着シートを野菜用又は果実用段ボール箱の手掛穴に貼着した状態を示した斜視図である。
【図４】本発明第一態様の一例に係る野菜用又は果実用段ボール箱の手掛穴に用いる貼着シートを合成樹脂製ネット又は不織布側から見た表面図である。
【図５】本発明第一態様の他の例に係る野菜用又は果実用段ボール箱の手掛穴に用いる貼着シートを合成樹脂製ネット又は不織布側から見た表面図である。
【図６】図４に示した貼着シートを剥離紙側から見た裏面図である。
【図７】図５に示した貼着シートを剥離紙側から見た裏面図である。
【図８】図４に示した粘着シートの側面図である。
【図９】図４に示した粘着シートの中央横断面図である。
【図１０】本発明でいう異形孔の一例を示す図である。
【図１１】本発明でいう異形孔の他の例を示す図である。
【図１２】本発明の他の例に係る野菜用又は果実用段ボール箱の手掛穴に用いる貼着シートロールであり、ロールから一部巻き戻した状態を合成樹脂製ネット又は不織布側から見た表面図である。
【図１３】図４に示した貼着シートを野菜用又は果実用段ボール箱の手掛穴に貼着した状態を示した斜視図である。
【図１４】図４に示した貼着シートを段ボール箱に貼り付けた場合の縦断面図である。
【図１５】本発明による異形孔を設けていない貼着シートを段ボール箱に貼り付けた場合の縦断面図である。
【図１６】本発明の他の例に係る野菜用又は果実用段ボール箱の手掛穴に用いる貼着シートを合成樹脂製ネット又は不織布側から見た表面図である。
【図１７】図１６に示した粘着シートを剥離紙側から見た裏面図である。
【符号の説明】
【００２４】
１    剥離紙
２    粘着剤層
３    合成樹脂製フィルム又は紙
４    接着剤層
５    異形孔
６    合成樹脂製ネット又は不織布
７    手掛穴
８    ロール
９    段ボール箱
１０  隙間
【図１】
0005524306.tif 000004
【図２】
0005524306.tif 000005
【図３】
0005524306.tif 000006
【図４】
0005524306.tif 000007
【図５】
0005524306.tif 000008
【図６】
0005524306.tif 000009
【図７】
0005524306.tif 000010
【図８】
0005524306.tif 000011
【図９】
0005524306.tif 000012
【図１０】
0005524306.tif 000013
【図１１】
0005524306.tif 000014
【図１２】
0005524306.tif 000015
【図１３】
0005524306.tif 000016
【図１４】
0005524306.tif 000017
【図１５】
0005524306.tif 000018
【図１６】
0005524306.tif 000019
【図１７】
0005524306.tif 000020